(57)【特許請求の範囲】
【請求項１】
長尺の紙材を、その長手方向軸線に対して横方向に複数のペーパーシート部に仮想的に細分化し、
各ペーパーシート部につき少なくとも１つの透かし模様を前記紙材に設け、
前記紙材の少なくとも１つの透かし模様の位置を、少なくとも１つのユニットによって位置データの形態で光学的に検出し、且つ該検出された位置データを、アルゴリズムによって補正された位置データに変換し、
各ペーパーシート部につき少なくとも１つの窓型開口部を前記紙材に設け、
各ペーパーシート部につき少なくとも１つの制御用開口部を前記紙材に設け、
前記透かし模様は、ペーパーシート部に設けられた前記透かし模様が紙材の長手方向軸線に対して平行な第１の直線上に配置されるように各ペーパーシート部の端部に配置され、
前記紙材が前記ユニットに供給されたとき、前記制御用開口部は、前記補正された位置データに基づいて前記窓型開口部と正確な配置関係に配置され、且つ前記ペーパーシート部の制御用開口部は、前記ペーパーシート部の端部で前記第１の直線に平行に配置された第２の直線上に配置されていることを特徴とする開口を形成する方法。
【請求項２】
少なくとも２つの透かし模様が、各ペーパーシート部に設けられ且つ前記第１の直線に沿って配列されていることを特徴とする請求項１に記載の方法。    
【請求項３】
前記紙材の少なくとも２つの透かし模様の位置が前記ユニットによって検出されることを特徴とする請求項２に記載の方法。
【請求項４】
前記補正された位置データに基づいて、少なくとも2つの制御用開口部とそれと正確な配置関係にある少なくとも１つの窓型開口部とを前記紙材の各ペーパーシート部に形成し、前記少なくとも２つの制御用開口部が、前記各ペーパーシート部の端部で前記第１の直線に平行な第２の直線上に配列されていることを特徴とする請求項１に記載の方法。
【請求項５】
各制御用開口部が、各透かし模様と対応して配置されていることを特徴とする請求項４に記載の方法。
【請求項６】
各制御用開口部が、各透かし模様に隣接して配置されていることを特徴とする請求項４又は５に記載の方法。
【請求項７】
長尺の紙材を搬送する搬送ユニットと、
前記長尺の紙材をその長手方向軸線に対して横方向に仮想的に細分化することによって形成されたペーパーシート部のそれぞれに設けられ且つ前記紙材の端部で前記紙材の長手方向軸線に平行な第１の直線上に配列される少なくとも１つの透かし模様の位置を位置データの形態で検出するセンサーユニットと、
前記検出された位置データをアルゴリズムによって補正する演算ユニットと、
前記ペーパーシート部のそれぞれに少なくとも１つの窓型開口部と少なくとも１つの制御用開口部とを形成するように前記演算ユニットにより制御可能なユニットとを備え、前記制御用開口部は、前記補正された位置データに基づいて、前記窓型開口部と正確な配置関係で、前記第１の直線に平行な第２の直線上に配置されることを特徴とする開口を形成する装置。
【請求項８】
前記制御可能なユニットが、該制御可能なユニットに対する前記長尺紙材の向きおよび/または位置の補正のための制御部材を有することを特徴とする請求項７に記載の装置。
【請求項９】
前記制御可能なユニットが、スタンピングユニットの形態であることを特徴とする請求項７に記載の装置。
【請求項１０】
前記少なくとも１つのセンサーユニットが、前記少なくとも１つの透かし模様の位置を光学的に検出するためのセンサーユニットであることを特徴とする請求項７乃至請求項９の何れか１項に記載の装置。
【請求項１１】
前記搬送ユニットが、引き込み機構またはローラーギャップによって構成されていることを特徴とする請求項７乃至請求項１０の何れか１項に記載の装置。
【請求項１２】
前記ユニットの上流および／または下流に配置されて、前記紙材上にプリントするための少なくとも１つのプリント機構をさらに備えていることを特徴とする請求項７乃至請求項１１の何れか１項に記載の装置。
【請求項１３】
前記紙材を個々のパネルに切断するための、および／または、前記少なくとも１つの透かし模様が設けられると共に前記少なくとも１つの制御用開口部が設けられた前記各ペーパーシート部の端部を切断するための、少なくとも１つの切断ユニットをさらに備えていることを特徴とする請求項７乃至請求項１２の何れか１項に記載の装置。
【請求項１４】
制御可能なユニットが、スタンピングシリンダの形態である請求項７記載の装置。
【請求項１５】
長手方向軸線に対して横方向に仮想的に細分化されることによって形成された複数のペーパーシート部を備える長尺の紙材と、
前記ペーパーシート部のそれぞれに設けられ且つ前記紙材の端部で前記紙材の長手方向軸線に平行な第１の直線上に配列される少なくとも１つの透かし模様と、
前記紙材のペーパーシート部のそれぞれに設けられた少なくとも１つの窓型開口部と、
前記紙材のペーパーシート部のそれぞれに設けられた少なくとも１つの制御用開口部とを備え、
前記紙材の少なくとも１つの透かし模様の位置は、少なくとも１つのユニットによって位置データの形態で光学的に検出され且つ該検出された位置データがアルゴリズムによって補正された位置データに変換されるように構成され、
前記制御用開口部は、前記補正された位置データに基づいて、前記窓型開口部と正確な配置関係で形成され且つ前記ペーパーシート部の端部で前記第１の直線に平行な第２の直線上に配置されていることを特徴とする開口を有する紙。
【発明の詳細な説明】
【技術分野】
【０００１】
本発明は、その長手軸に対して横方向に、仮想的にペーパーシート部に分割される長尺紙材に少なくとも１つの窓型開口部を形成する方法ならびに該方法を実施する装置に関する。
少なくとも１つの窓型開口部を有する紙材は、紙幣、IDカードまたはパス、パスポート、ＩＣカード、運転免許証等のセキュリティまたは有価書類に用いられる。
この場合、少なくとも１つの窓型開口部はフィルム部材で被覆されることが多い。
フィルム部材は、例えば、屈折構造、ホログラム、キネグラム（登録商標）、プリント画像等の反射性および／または透過性を有するセキュリティ部材、ならびに発光性材料、フォトクロミックまたはサーモクロミック材料、液晶、干渉顔料、磁性物質等の光学的に可変な基材を有している。
【背景技術】
【０００２】
特許文献１には、長尺紙材に少なくとも１つの窓型開口部を形成するプロセスが記載されている。
この場合、窓型開口部は、紙材にスタンピング或いはレーザーによって導入される。
紙材上でスタンピング手段またはレーザーを位置決めする方法については記載されていない。
【０００３】
なお、一般には、紙材はプリント工程に送られて、スタンピング手段の位置決め用の位置マークがプリントされる。
【０００４】
特許文献２は、紙の形成時に紙材の窓型開口部を形成する方法を開示している。
しかしながら、湿紙は歪み易いため、窓型開口部の正確な位置決めは実現不可能か、或いは限定的に可能であるに過ぎない。
【０００５】
円筒型スクリーンの丸網抄紙機ないし長網抄紙機は、透かし模様を有する長尺紙材の形成に適している。
円筒型スクリーンの丸網抄紙機はスクリーンの閉じた領域で透かし模様を形成し、長網抄紙機はダンディロールを用いてパターンを紙繊維の凹みの中に押し込んで透かし模様を形成する。
【０００６】
円筒型スクリーン機の場合には、機械の大きさに応じてレジスト領域（register 長さ）と呼ばれる複数の均等な部分がスクリーン外周に配置され、各レジスト領域内には、少なくとも１つの透かし模様と、場合によっては、さらに少なくとも１つの装飾用透かし模様が形成される。
そのため、透かし模様の目標位置からの位置ズレが、スクリーンの回転後に実質的にその都度繰り返されることになる。
【０００７】
平型スクリーンを用いる場合にも、紙材は、少なくとも１つの透かし模様と、場合によっては、さらに少なくとも１つの装飾用透かし模様とが形成されたレジスト領域と呼ばれる複数の均等な部分に分割される。
そのため、この場合も目標位置からの透かし模様の位置ズレは、本質的にスクリーンを転写後にその都度繰り返されるだけでなく、新しいスクリーンが始まる毎に、このズレも加わる。
【先行技術文献】
【特許文献】
【０００８】
【特許文献１】国際特許公開番号  WO９５／１０４２０（A1）
【特許文献２】ドイツ特許公開番号  DE１０１６３３８１（A1）
【発明の概要】
【発明が解決しようとする課題】
【０００９】
本発明の目的は、長尺紙材に窓型開口部を形成する、改良した方法および該方法を実施する装置を提供することにある。
【課題を解決するための手段】
【００１０】
上記目的を達成するため、本発明の一実施例に係る開口を形成する方法は、長尺の紙材を、その長手方向軸線に対して横方向にペーパーシート部に仮想的に細分化し、紙材に、各ペーパーシート部につき少なくとも１つの透かし模様を設け、紙材の少なくとも１つの透かし模様の位置を、少なくとも１つのユニットによって位置データの形態で光学的に検出し、且つ該検出された位置データを、アルゴリズムによって補正された位置データに変換し、紙材に、各ペーパーシート部につき少なくとも１つの窓型開口部を設け、紙材に、各ペーパーシート部につき少なくとも１つの制御用開口部を設け、透かし模様は、ペーパーシート部に設けられた該透かし模様が紙材の長手方向軸線に対して平行な第１の直線上に配置されるように各ペーパーシート部の端部に配置され、紙材がユニットに供給されたとき、制御用開口部は、補正された位置データに基づいて窓型開口部と正確な配置関係で配置され、且つペーパーシート部の制御用開口部は、第１の直線に平行に配置された第２の直線上に配置されていることを特徴とする。
【００１１】
本発明に係る方法によって、紙材上に少なくとも１つの窓型開口部を位置決めするために、紙の形成時に安価に形成された少なくとも１つの位置マークを、各ペーパーシート部の少なくとも１つの透かし模様として、利用することが可能となる。
すなわち、紙材に位置マークを印刷する従来の一般的な工程を無くすることができる。
すでに乾燥し、かつ形状が安定した状態の紙材に少なくとも１つの窓型開口部を形成すれば、各窓型開口部間の相対的な位置ズレは広範囲で無くなる。
【００１２】
上記目的を達成する、本方法を実施する装置は以下の構成要素を有する。
・  長尺紙材を搬送するための搬送ユニット
・  少なくとも１つの透かし模様の位置を位置データとして検出するためのセンサーユニット
・  アルゴリズムを用いて、検出された位置データを補正するための演算ユニット
・  各ペーパーシート部に少なくとも１つの窓型開口部を形成し、各ペーパーシート部に随意に制御用開口部を形成するための、演算ユニットにより制御可能なユニット。
【００１３】
透かし模様は、紙材の濃い、暗い、薄い、或いは明るい場所として視認され、一般に紙材の繊維構造に起因して、はっきりした境界線を有さない。
紙材の、透かし模様の領域における認識可能な明暗の配色の度合いは、透かし模様ごとにも異なり、さらに各透かし模様によって紙繊維がそれぞれ異なって配置されているので、各透かし模様の表面上でも認識可能な明暗の配色の度合いは異なって認識される。
また、個々の透かし模様の形状と大きさ、ならびに複数の透かし模様の間隔は、紙の形成時、紙がまだ湿っていて形状が安定しない状態では、紙材の歪みがしばしば発生するため、直接予想できない。
【００１４】
詳しくは、方法の工程(b)において、少なくとも１つの、特に少なくとも２つの透かし模様の位置を、具体的に位置データとして少なくとも１つのセンサーユニットによって検出し、随意に検出した位置データを、アルゴリズムを用いて補正された位置データに変換するのが望ましいことが分かる。
【００１５】
さらに、方法の工程(c)において、紙材に開口部を形成するユニットは、紙材の各ペーパーシート部に、少なくとも１つのセンサーユニットによって検出された少なくとも１つの透かし模様の位置、特に少なくとも２つの透かし模様の補正された位置データに基づいて、少なくとも１つの制御用開口部と、それと同じ型による正確な配置関係（register relationship）に基づいて少なくとも１つの窓型開口部と、を形成するのが望ましいことが分かる。
【００１６】
少なくとも１つの制御用開口部は、透かし模様と比較して、正確な位置決め、エッジの鋭さ、および少なくとも１つの窓型開口部に関する型による正確な配置関係に基づく配置という利点があるため、プリント工程またはフィルムの取付け工程等の後続の方法の工程が少なくとも１つの制御用開口部に基づいて好ましく制御される。
【００１７】
搬送ユニットは、ペーパーウェブをセンサーユニットへ導き、好ましくは中断せずに、紙材に開口部を形成するユニットまで導く。
紙材に開口部を形成するユニットに対するペーパーウェブの位置決め、および／または、補正は、少なくとも１つの窓型開口部をペーパーウェブの正しい位置に判押しできるようになされる。
【００１８】
好ましくは、本発明に係る方法の、方法の工程(a)において、各ペーパーシート部の端部に、紙材の長手軸に平行な第１の直線上に配列される、前記少なくとも１つの透かし模様を備え、方法の工程(b)において、少なくとも１つの透かし模様の位置を少なくとも１つのセンサーユニットによって光学的に検出し、方法の工程(c)において、紙材に開口部を形成するユニットは、補正された位置データに基づいて、紙材の各ペーパーシート部に、少なくとも１つの制御用開口部と、それと同じ型による正確な配置関係に基づいて前記少なくとも１つの窓型開口部と、を形成し、少なくとも１つの制御用開口部は、各ペーパーシート部の端部の、第１の直線に平行な第２の直線上に配列される。
【００１９】
さらに、本発明に係る方法では、方法の工程(a)において、各ペーパーシート部の端部に、紙材の長手軸に平行な第１の直線に沿って、または第１の直線上に配列される少なくとも２つの透かし模様を備えることができる。
【００２０】
さらに、方法の工程(c)において、紙材の開口部を形成するユニットは、補正された位置データに基づいて、紙材の各ペーパーシート部に、少なくとも２つの制御用開口部と、それと同じ型による正確な配置関係に基づいて少なくとも１つの窓型開口部と、を形成し、少なくとも２つの制御用開口部は、各ペーパーシート部の端部の、第１の直線に平行な少なくとも１つの第２の直線上に配列されることができる。
【００２１】
位置データの補正では、紙材の端から所定の間隔をおいた第１の直線上に透かし模様の位置決め、或いは、互いに相対的に、可能な限り一定の間隔で第１の直線上に一列に並ぶ透かし模様の位置決めが行われていることを前提としている。
このように補正された位置データは、後続の処理工程、および／または、スタンピングユニットなどの装置の工程を制御するのに用いられる。
【００２２】
開口部を形成するユニットは、該ユニットに対する長尺紙材の位置決め、および／または、補正を行う制御部材を含むのが望ましいことが分かる。
これに関連して、一方で開口部を形成する器具の位置、および／または、速度を制御することができる。
随意に紙材の位置、および／または、搬送速度を補正することも可能である。
さらに、該器具の位置、および／または、速度を制御し、紙材の位置、および／または、搬送速度を変化させることも可能である。
【００２３】
円筒型スクリーン機に形成した紙材を処理する場合、制御工程に用いられる基準は、スクリーン外周毎のレジスト領域の数に基づいて算出される平均値に基づくレジスト領域の参照値であることが好ましい。
開口部を形成するユニットに関して、さらに公差の調整を参照しながら、その参照値は、好ましくはスクリーン外周毎の少なくとも１つの透かし模様の光学的検出、さらに正確にはスクリーン外周毎の１つの透かし模様の光学的検出によって補正できる。
【００２４】
少なくとも１つの窓型開口部を形成し、随意に制御用開口部を形成する前記ユニットは、スタンピングユニット、特に回転するスタンピングシリンダ、レーザー切断ユニットまたはウォータジェット切断ユニットによって形成されるのが望ましいことが分かる。
これに関連して、形成されている制御用開口部の間の間隔、制御用開口部と少なくとも１つの窓型開口部の間の間隔、および個々の窓型開口部の間の間隔は、スタンピングシリンダを用いるときには前もって決まっており、そして、それらの隙間は、スタンピングシリンダの外周に対応して連続的に繰り返される。
それに関して、スタンピングシリンダの位置および回転速度は制御可能である。また非回転式のスタンピング機を使用することも同様に可能である。
【００２５】
少なくとも１つのセンサーユニットは好ましくは、少なくとも１つの透かし模様の位置を光学的に検出するセンサーユニットであり、好ましくはカメラシステムで形成される。
ペーパーウェブをロールからロールへ処理する搬送ユニットは、好ましくは引き込み機構またはローリングギャップ等で形成される。
好ましくは、前記装置は、紙材に開口部を形成するユニットの上流、および／または、下流に配置され、紙材上にプリントする少なくとも１つのプリント手段をさらに備える。
また、前記装置は、紙材に開口部を形成するユニットの下流に配置される少なくとも１つのフィルムの取付けユニットを有するのが望ましいことが分かる。
【００２６】
紙材は、特に少なくとも２つのペーパーシート部に細分化される。
２つのペーパーシート部は、それぞれ少なくとも１つのパネルと少なくとも１つの透かし模様とを有する。
すなわち、ペーパーシート部は、紙材の長手方向に続けて配列される。
【００２７】
さらに、少なくとも２つのペーパーシート部を、それぞれ少なくとも２つのサブセグメントか、またはパネルに細分するとよい。各サブセグメントは少なくとも１つの窓型開口部を備える。
したがって、サブセグメントは、紙材の長手方向に、互いに横並びに、および／または、縦に続けて、配列される。
紙材のパネルへの分割は、同様な書類を多く形成（ギャングアップ）するために、手に入る紙材をできるだけ最適な方法で利用する、プリント技術において一般的な工程である。
【００２８】
紙材は計算によって細分化されるのが望ましいことが分かる。
すなわち、仮想的にのみペーパーシート部またはペーパーシート部およびサブセグメントに細分する。
紙材にすべての方法の工程を実施後、またはパネルの仕上げ後、切断ユニットを配置して紙材をパネルに細分し、個々のセキュリティ書類を形成する。
【００２９】
長尺紙材は、好ましくはロール材料を巻き上げて形成される。
紙材は、開口部の形成後、随意に、プリント工程、セキュリティ部材の特に窓型開口部領域への貼付、１以上のフィルム層のラミネート加工等のほかのプロセス後に、パネルに切り分けられることが好ましい。
この結果、紙幣、IDカードまたはパス、運転免許証などの、窓型開口部を含む同様なセキュリティ書類を、多数同時に、安価に製造することができる。
【００３０】
また、ペーパーシート部およびサブセグメントへの細分化を、紙材に目打ちもしくは初期スタンピングを行うことによって実現することができる。
しかし、これは紙材のロールからロールへの加工性に悪影響を与える可能性がある。
【００３１】
少なくとも２つの窓型開口部を紙材に形成し、該少なくとも2つの窓型開口部を、第１および第２の直線に平行な少なくとも１つの第３の直線上に配列することが好ましい。
【００３２】
少なくとも２つの透かし模様は、０．５から１０ｍｍ、特に１から５ｍｍの長さと幅に、形成されることが好ましい。
この場合、透かし模様の適当な大きさは、特に透かし模様の位置を検出するセンサーユニット、使われている照明条件および透かし模様とその他の紙材料とのコントラストに応じて選択される。
可能であれば、照明手段を紙材の裏側に配置して、透かし模様とその他の紙材料とのコントラストを高め、センサーユニットによる透かし模様の位置検出を容易にする。
【００３３】
各透かし模様は、少なくとも第１の直線に接触するのが望ましいことが分かる。
しかしながら、補正された位置データの確認の際に評価される多数の透かし模様がある場合、第１の直線に接触しない透かし模様が１以上あることが起こり得る。
一般の製紙方法においては、透かし模様の位置は、円筒型スクリーンまたは長尺型フォードリニア・スクリーンに応じて、所望の位置からミリメータの範囲でずれることがある。
【００３４】
少なくとも１つの透かし模様を、点状または線状に構成することが有利であることが分かる。さらに、制御用開口部と透かし模様がそれぞれに対応する、特に制御用開口部がそれぞれ透かし模様に隣接して形成されているのが望ましいことが分かる。各制御用開口部は、各透かし模様の領域内に、透かし模様の少なくとも１部を除去するように形成される。
【００３５】
紙材は、少なくとも１つの透かし模様のほかに、少なくとも１つの装飾用透かし模様を備えるのが望ましいことが分かる。
かかる装飾用透かし模様は、特に紙幣、IDカードまたはパス、証書など人に提示するためのセキュリティ書類、紋章、パターン、文字などに関しては一般的である。
好ましくは、少なくとも１つの装飾用透かし模様をパターン毎に備える。
【００３６】
少なくとも１つの窓型開口部の形成および可能であれば後続の処理工程後、またはその仕上げ後、少なくとも１つの制御用開口部と少なくとも１つの透かし模様とを含む紙材の端部を、好ましくは切断ユニットにより切断する。
【００３７】
迅速で安価な長尺紙材の処理に関して、長尺紙材を少なくとも１つの透かし模様の位置の光学的検出時および、少なくとも１つの制御用開口部と少なくとも１つの窓型開口部の形成時に、ペーパーウェブとしてロールからロールまで搬送されるのが望ましいことが分かる。
少なくとも１つの透かし模様と、随意に追加された装飾用透かし模様とを含む紙材は供給ロールとなって、搬送ユニットによって、少なくとも１つの透かし模様の位置を検出するセンサーユニット、開口部の形成するユニット、随意に、プリント、フィルム部材の取付けなどを行う、その他のユニットに対して給紙される。
その後再び供給ロールに巻き上げられる。
また、供給ロールに巻き上げる代わりに、紙材をパネル、特にセキュリティまたは有価書類に分割する。
【００３８】
図１から図４に本発明に係る方法および装置を、例として示す。
【図面の簡単な説明】
【００３９】
【図１】図１は、ペーパーシート部に細分化され、各ペーパーシート部に透かし模様を有する長尺紙材を示す。
【図２】図２は、スタンピングユニットで処理中の図１の紙材を示す。
【図３ａ】図３aは、透かし模様と制御用開口部がそれぞれ形成された紙材の２つのペーパーシート部の平面図である。
【図３ｂ】図３bは、フィルムの取付け工程およびプリント工程後の、図３aのペーパーシート部を示す。
【図４】図４aおよび図４bは、仮想的にパネルに細分化された紙材の平面図である。
【図５】図５は前記方法を実施する装置を示す。
【発明を実施するための形態】
【００４０】
図１は、ペーパーシート部10に細分化され、各ペーパーシート部10に透かし模様2を有する長尺紙材１を示す。
紙材1はロールlaに巻き付けられ、以降の処理用に引き出される。
紙材1のペーパーシート部 10への細分化は、仮想的に、2つの隣接するペーパーシート部10間に配置される分割線５によって実現される。
センサーユニット3は例えば、カメラシステムであって、紙材1上における透かし模様2の位置および透かし模様間の位置を光学的に随意に検出する。
各透かし模様2の位置、形状、大きさ、コントラストは、わずかに異なっているため、センサーユニット3によって検出された位置データは基準値にすぎず、以降の処理工程で制御用マークとして用いるために適宜補正する必要がある。
特に、透かし模様2の間隔と、随意に端部の間隔の補正とを行う。
【００４１】
紙材には比較的大きな歪みがあるため、実際には、個々の透かし模様ではなく、製紙機のスクリーン外周若しくはスクリーン長毎に１つの透かし模様を検出することが重要である。
例えば、それぞれ１つの透かし模様を有する８つのレジスト領域を、円筒型スクリーンの周囲に配置すると、各８番目の透かし模様のみが検出され、制御用途に用いられる。
【００４２】
センサーユニット3が確認した位置データは、アルゴリズムを用いて補正された位置データを算出する演算ユニット(不図示)に、制御用として送信される。
この場合、演算ユニットは、製紙機のスクリーン外周およびスクリーン長ごとに、少なくとも透かし模様2の位置を評価する。
これに関連して、第１の直線4が計算によって透かし模様2を通過または隣接して紙材1の長辺に平行に引かれ、かつ、スクリーン外周毎或いは製紙機のスクリーン長毎に後に続く全ての透かし模様の位置が前記第１の直線4上にあると仮定する限りでは、紙材1の長辺側に係る透かし模様2の間隔は計算によって補正される。
さらに、透かし模様2相互の間隔における位置を計算によって補正することができる。
この場合、少なくとも製紙機のスクリーン外周毎、或いはスクリーン長毎に、できる限り一定となるように間隔が算出される。
したがって、各透かし模様2に対する前記補正された位置データは、少なくとも紙材のある１部分に対して第１の直線4と補助直線4aとの交点として、与えられる。そして、補助直線4aは、互いに相対的にできる限り一定となるような間隔で、測定された位置データに合わせて、紙材1の面内で第１の直線4に垂直に算出される。
ペーパーシート部10は、紙材1内で、第１の直線4に平行に設けられ、そして補助直線4aに平行に設けられる、さらなる仮想分割線によって、サブセグメント或いはさらなるパネルに細分することができる（図4a、 4b参照）。
【００４３】
図２は、図1の紙材1を、紙材に開口部を形成するスタンピングユニットによって処理している図である。
ここではスタンピングユニットを、スタンピング手段であるスタンピングシリンダ 8aとして示す。
紙材1は、演算ユニットで補正された位置データに基づき、スタンピングシリンダ8aの位置に対応させて位置付けられているので、制御用開口部6および窓型開口部7は互いに型による正確な配置関係に基づき、かつ透かし模様2の補正された位置データに基づいて形成される。
この場合、紙材1の各透かし模様2の傍に、制御用開口部6を判押しする。
制御用開口部6は、第１の直線4と平行な第２の直線40および補助直線4a上にある。
窓型開口部7は第２の直線40に平行な第３の直線400上にある。
【００４４】
図３aは紙材の２つのペーパーシート部10の平面図であり、各透かし模様2および 制御用開口部6がペーパーシート部10に備えられている。
透かし模様2とペーパーシート部10の紙材料とのコントラスト、透かし模様2の形状、大きさ、位置が異なることがはっきりと分かる。
第１の直線4は両方の透かし模様2と交差し、各透かし模様2の、ペーパーシート部10の平行な端との間隔を、第１の直線4の、ペーパーシート部10の平行な端との間隔として補正もしくは標準化する。
補助直線4aは２つの透かし模様2の間隔を補正もしくは標準化する。
したがって、各透かし模様2の補正位置は、第１の直線4と補助直線4aとの交点になっている。
制御用開口部6と２つの窓型開口部7は、これら補正された位置データにしたがって形成される。
制御用開口部6は、その一層正確な位置、形状、エッジの鋭さに依り、位置の判読性において、透かし模様2より優れている。
このため、後続する処理工程では、制御用開口部6に基づいて制御されることが好ましい。
【００４５】
図３bは、図３aのペーパーシート部10を示しており、星型の金属で装飾が施され、見る角度に依って光学的効果をもたらす透明なフィルム片9がラミネート加工され、シリアルナンバとしてプリント画像11が形成されている。
窓型開口部7はフィルム片9によって封止されている。
ペーパーシート部10において、フィルム片9およびプリント画像11は、ラミネート加工、或いはプリント工程によって、窓型開口部7（ここではフィルム片9に被覆され、点線で示される）との型による正確な配置関係に基づいて配置された制御用開口部6の位置にしたがって位置決めされる。
制御用開口部6の光学的な位置検出が行われる。
【００４６】
紙材に全ての処理工程を実行後、紙材を分割線5（図１および２参照)の領域に分割し、透かし模様2と制御用開口部6とを含む端部を、切り取り線12 （図３b参照)に沿って切断して除去する。
【００４７】
図４aは、分割線５によって仮想的に分割された紙材1の３つのペーパーシート部10の平面図を示し、透かし模様2と制御用開口部6が各ペーパーシート部10の端部に形成されている。
各ペーパーシート部10は、順番に仮想分割線5aに沿って、１２のサブセグメント10’またはパネルに細分化される。
窓型開口部7は、各サブセグメント10’に、制御用開口部6との型による正確な配置関係に基づいて形成される。
サブセグメント10’を切り取り線１２に沿って仕上げ、廃棄した後、透かし模様2と制御用開口部6とを有する紙材1の端部を切断する。
仕上がり後のサブセグメント10’も分割線5, 5aに沿って、個々に切り分けられる。
【００４８】
図４bも、分割線５によって互いに仮想的に分離された紙材1の３つのペーパーシート部10の平面図である。
２つの透かし模様2および１つの制御用開口部6が３つのペーパーシート部10に、それぞれ形成されている。
各ペーパーシート部10は、再度、仮想分割線5aによって、１２個のサブセグメント10’またはパネルに細分化される。
窓型開口部7は、各サブセグメント10’に、制御用開口部6との型による正確な配置関係に基づいて形成される。
サブセグメント10’が切り取り線１２に沿って仕上げられ、廃棄した後、透かし模様2と制御用開口部6とを有する各ペーパーシート部の端部が切断される。
仕上がり後のサブセグメント10’も分割線5, 5aに沿って、個々に切り分けられる。
【００４９】
図５に、本方法を実施する装置を示す。
この装置は、長尺紙材1が巻き付けられた供給ロールlaを有する。
紙材1は、供給ロールlaから紙材に開口部を形成するユニット(破線参照)に給紙される。
該ユニットは、透かし模様の紙材1上の位置を検出して、演算ユニット13に送信する、カメラシステムとしてのセンサーユニット3を有する。
演算ユニット13は、検出された位置データを、アルゴリズムを用いて補正した位置データを確認し、補正されたデータに基づいてスタンピングユニット8に制御信号を送信する。
スタンピングユニット8は、スタンピングシリンダ8aの回転速度を制御し、搬送位置または速度、および紙材(1)の位置を随意に制御する制御部材14を有する。
制御部材14は、紙材1に制御用開口部と窓型開口部とを形成するために、紙材1の位置、特に紙材1の面における、配置されたスタンピングシリンダ8aと切断ユニット(不図示)とに対するペーパーシート部の位置を制御する。
【００５０】
紙材1は開口部を形成するユニットに搬送され、位置補正実行後、スタンピングシリンダ8aによって判押し動作が実施され、制御用開口部と窓型開口部とが形成される。
【００５１】
最終的に、紙材1はプリント手段15に給紙され、カラーパターンとシリアルナンバとがプリントされる。
スタンピングユニット8で形成された制御用開口部はプリント手段15の制御に用いられる。
【００５２】
次にプリントされた紙材1がフィルムの取付けユニット16に搬送され、窓型開口部はフィルム部材によって、それぞれ封止される。
スタンピングユニット8において形成された制御用開口部は、再びフィルムの取付けユニット16を制御するのに用いられる。
【００５３】
この後、図示しないが、ほかの処理工程、例えば別のプリント手段、蒸着装置、別のフィルムの取付けユニットなどに搬送することができる。
最後に、仕上がった紙材1はロールlbに巻き付けられるか、または切断ユニットに給紙されて仮想分割線に沿ってパネルに切り分けられる。
透かし模様および制御用開口部を含む端部は切断される。
【００５４】
本発明に係る方法および該方法を実施するのに適した装置に関する知識を有する当業者は、透かし模様を有する紙材を、紙材に開口部を形成する前記ユニットにより直接製造し、そして、型による正確な配置関係に基づいて前記ユニットから開始して、フィルムアプリケーションユニット、プリント手段、PVD或いはCVDユニット、エンボス加工ユニットなどのような、さらなる処理ステーションを有するインラインの工程、すなわち紙材を途中で蓄積させずに、容易に実施することができる。
【図１】
0005427605.tif 000002
【図２】
0005427605.tif 000003
【図３ａ】
0005427605.tif 000004
【図３ｂ】
0005427605.tif 000005
【図４ａ】
0005427605.tif 000006
【図４ｂ】
0005427605.tif 000007
【図５】
0005427605.tif 000008